(57)【特許請求の範囲】
【請求項１】
カメラと記録再生部を一体に収納したカメラ本体と、前記カメラ本体の一側部に設けられた収容凹部に収容された表示パネルと、前記表示パネルの一側縁部をヒンジ機構によってカメラ本体に回動可能に支持する第１の支持機構部とを有し、
表示パネルを前記収容凹部に収容された状態からヒンジ機構を介して回動させ、カメラ本体より外方に突出した状態に配置することが可能なビデオカメラにおいて、
前記第１の支持機構部は、前記ヒンジ機構の回動中心軸に対して略直交する回動中心軸を中心に前記表示パネルを回動可能な反転機構を有し、前記表示パネルが収容凹部より外方に突出した状態で、前記反転機構を介して表示パネルの表裏を反転させた後、前記収容凹部に収容できるように構成され、
前記表示パネルの他側縁部と、この他側縁部に対向する前記収容凹部の内周面の間には、前記表示パネルが前記収容凹部に反転状態で収容された状態で、前記反転機構の回転中心軸と同軸位置で、互いに回転可能に係合する軸部材と軸受け部材とを有し、前記表示パネルを前記反転機構の回転中心軸を中心として角度調整可能に支持する第２の支持機構部を設けた、
ことを特徴とするビデオカメラ。
【請求項２】
前記第２の支持機構部の軸部材と軸受け部材は、いずれか一方がいずれか他方に対して離間する方向に変位可能に設けられるとともに、前記軸部材と軸受け部材のいずれか一方をいずれか他方に接近する方向に付勢するバネ手段を有し、
前記表示パネルを前記収容凹部に反転状態で押し込んで収納操作した際に、前記軸部材または前記軸受け部材のいずれか一方が、いずれか他方に押されて変位することにより、互いに係合するものであることを特徴とする請求項１記載のビデオカメラ。
【請求項３】
前記カメラ本体は、表示パネルが非反転状態で前記収容凹部に収容された状態で、前記表示パネルを収容状態にロックするロック機構を有し、
前記ロック機構は、前記カメラ本体の外周面に、表示パネルに接離する方向にスライド自在に設けられ、表示パネルの側縁部に設けた係合部に係合するロック部材と、前記ロック部材を前記表示パネルの係合部に係合する方向に付勢するバネ手段とを有し、
前記表示パネルは、表示パネルを非反転状態で前記収容凹部内に押し込んで収納操作した際に、表示パネルの他側縁部が前記バネ手段のバネ力に抗して前記ロック部材を後退変位させることにより、前記ロック部材と前記係合部とが係合するようにしたことを特徴とする請求項２記載のビデオカメラ。
【請求項４】
前記第２の支持機構部の軸部材は、前記表示パネルの他側縁部に固設され、前記軸受け部材は、前記ロック部材に設けられていることを特徴とする請求項３記載のビデオカメラ。
【請求項５】
前記ロック部材は、表示パネルを反転状態で収容凹部に収容した場合に、表示パネルの他側縁部を避けた状態で配置されることを特徴とする請求項４記載のビデオカメラ。
【請求項６】
前記表示パネルを非反転状態で収容凹部に収容した場合に、前記ロック機構のロック部材と係合部とが係合するとともに、前記第２の支持機構部の軸部材と軸受け部材とが係合し、前記表示パネルのガタ付きを防止することを特徴とする請求項４記載のビデオカメラ。
【請求項７】
前記ロック機構のロック部材と係合部の係合位置が、前記前記反転機構の回転中心軸と同軸位置に配置され、前記ロック部材によって第２の支持機構部の軸部材を兼用するとともに、前記係合部によって前記軸受け部材を兼用したことを特徴とする請求項３記載のビデオカメラ。
【請求項８】
前記表示パネルは、液晶表示パネルであることを特徴とする請求項１記載のビデオカメラ。
【発明の詳細な説明】
【０００１】
【発明の属する技術分野】
本発明は、液晶等による開閉型の表示パネルを有するビデオカメラに関し、特に外観を損なうことなく、表示パネルの開閉を容易に行えるようにしたビデオカメラに関するものである。
【０００２】
【従来の技術】
従来より、この種のビデオカメラとして、例えば特開平９−９１０８号公報に開示されるものが知られている。
このビデオカメラでは、カメラとＶＴＲ等の記録再生部を一体に収納したカメラ本体と、このカメラ本体の一側部に配置される液晶表示パネルとを有し、液晶表示パネルを、いわゆる２軸ヒンジ機構を介してカメラ本体に回動可能に支持したものである。
すなわち、２軸ヒンジ機構は、第１の回動中心軸を中心に液晶表示パネルをカメラ本体から接離する方向に回動自在に支持するとともに、第１の回動中心軸と直交する第２の回転軸を中心に液晶表示パネルの表裏を反転する方向に回動自在に支持している。
【０００３】
そして、このビデオカメラでは、液晶表示パネルを、カメラ本体の一側部に畳んだ状態から、２軸ヒンジ機構の第１の回動中心軸を中心に回動させることにより、カメラ本体の側方に突出した状態に配置し、さらにその角度を調節することにより、撮像時の大型ファインダとして使用できる。
また、液晶表示パネルを、２軸ヒンジ機構の第２の回動中心軸を中心に反転させ、カメラ本体の一側部に畳み込み、その表示面が外方に臨むように配置することにより、液晶表示パネルで再生画像を鑑賞するという使い方ができる。
【０００４】
【発明が解決しようとする課題】
ところで、上述のようなビデオカメラにおいて、カメラ本体の一側部に液晶表示パネルを収容する収容凹部を設け、この収容凹部に表示パネルを収容する構造とすることで、製品の美観向上や携帯時の扱い易さ、さらには液晶表示パネルの保護等を図ることが考えられる。
また、このように収容凹部に表示パネルを収容する構成とした場合、表示パネルの収容状態をロックするロック機構を設け、表示パネルの離脱を防止することが考えられる。
【０００５】
しかしながら、このように液晶表示パネルを収容凹部に収容し、単純にロックする構成とした場合には、液晶表示パネルは収容凹部に収容された状態で固定されることとなる。
このため、特に液晶表示パネルを反転状態で収容凹部に収容し、カメラ本体の一側部に表示画面を配置して映像を鑑賞しようとした場合に、収容凹部に収容された液晶表示パネルの角度調整を行うことができず、表示画面が見にくいという問題がある。
【０００６】
なお、以下の説明においては、液晶表示パネルを反転させた状態で、表示面が外方に臨むように収納凹部に収容する場合を反転収容状態といい、また、液晶表示パネルを反転させずに、表示面を内側に向けた状態で収納凹部に収容する場合を非反転収容状態または通常収容状態というものとする。
【０００７】
そこで本発明の目的は、表示パネルをカメラ本体の収容凹部に反転収容状態で収容した場合に、表示パネルの角度調整を容易に行え、また、この反転収容状態を有効にロックすることができるビデオカメラを提供することにある。
【０００８】
【課題を解決するための手段】
本発明は前記目的を達成するため、カメラと記録再生部を一体に収納したカメラ本体と、前記カメラ本体の一側部に設けられた収容凹部に収容された表示パネルと、前記表示パネルの一側縁部をヒンジ機構によってカメラ本体に回動可能に支持する第１の支持機構部とを有し、表示パネルを前記収容凹部に収容された状態からヒンジ機構を介して回動させ、カメラ本体より外方に突出した状態に配置することが可能なビデオカメラにおいて、前記第１の支持機構部は、前記ヒンジ機構の回動中心軸に対して略直交する回動中心軸を中心に前記表示パネルを回動可能な反転機構を有し、前記表示パネルが収容凹部より外方に突出した状態で、前記反転機構を介して表示パネルの表裏を反転させた後、前記収容凹部に収容できるように構成され、前記表示パネルの他側縁部と、この他側縁部に対向する前記収容凹部の内周面の間には、前記表示パネルが前記収容凹部に反転状態で収容された状態で、前記反転機構の回転中心軸と同軸位置で、互いに回転可能に係合する軸部材と軸受け部材とを有し、前記表示パネルを前記反転機構の回転中心軸を中心として角度調整可能に支持する第２の支持機構部を設けたことを特徴とする。
【０００９】
本発明のビデオカメラでは、第１の支持機構部のヒンジ機構により、表示パネルをカメラ本体の収容凹部に対して開閉方向に回動し、表示パネルを収容凹部に収容したり、カメラ本体の側面に突出した状態にして使用する。
また、表示パネルを収容凹部より突出させた状態で、第１の支持機構部の反転機構により表示パネルを約１８０°反転し、収容凹部に収容することにより、表示パネルの表示面をカメラ本体の外側に露出させた状態で使用する。
そして、この収容操作の際に、第２の支持機構部の軸部材と軸受け部材とが係合する。
【００１０】
これにより、表示パネルは、一方の側縁部を第１の支持機構部の反転機構によって回動可能に支持されるとともに、他方の側縁部を第２の支持機構部によって回動可能に支持される。そして、第１の支持機構部の反転機構の回動中心と第２の支持機構部の回動中心が同一軸上にあることから、表示パネルは、両側の支持機構部によって回動可能に安定した状態で支持され、収容凹部内で容易に角度調整が可能な状態で保持される。
また、第２の支持機構部が反転収容時における表示パネルのロックとして機能し、容易に離脱しない状態に保持される。
【００１１】
【発明の実施の形態】
以下、本発明によるビデオカメラの実施の形態について説明する。
図１は、本発明によるビデオカメラの一例を示す外観斜視図であり、図１（Ａ）は、液晶表示パネルを通常（非反転）収容状態で収容した場合を示し、図１（Ｂ）は、液晶表示パネルを反転収容状態で収容した場合を示している。
また、図２は、図１に示すビデオカメラにおける液晶表示パネルの収容時の状態を示す水平断面図であり、図２（Ａ）は、液晶表示パネルを通常収容状態で収容した場合を示し、図２（Ｂ）は、液晶表示パネルを反転収容状態で収容した場合を示している。
さらに、図３は、図１に示すビデオカメラにおける液晶表示パネルの収容時の状態を示す垂直断面図であり、図３（Ａ）は、液晶表示パネルを反転収容状態で傾斜させた場合を示している。また、図３（Ｂ）は、液晶表示パネルを反転収容状態で直立させた場合を示し、図３（Ｃ）は、液晶表示パネルを通常収容状態で収容した場合を示している。
【００１２】
図１に示すように、本例のビデオカメラは、カメラと記録再生部を一体に収納したカメラ本体１００と、このカメラ本体１００の一側部に設けられた液晶表示パネル２００とを有する。
カメラ本体１００は、前端部にレンズ部１１０を有するとともに、後端部にファインダ部１２０を有し、上面部に操作スイッチ１３０等が設けられている。
また、カメラ本体１００の一側部には、液晶表示パネル２００を収容するための収容凹部１４０が設けられている。図１に示すように、液晶表示パネル２００を収容凹部１４０に通常収容状態で収容した場合、液晶表示パネル２００が収容凹部１４０に完全に埋没した状態で配置され、液晶表示パネル２００の外方に望む背面カバー面２１０Ａが、その周囲を囲むカメラ本体１００の外周面１００Ａとほぼ連続するような状態で配置される。
【００１３】
また、カメラ本体１００において、収容凹部１４０の前端側に液晶表示パネル２００を支持する第１の支持機構部としてのヒンジブロック３００が設けられ、後端側に液晶表示パネル２００を収容状態にロックするためのロック機構４００が設けられている。
ヒンジブロック３００は、液晶表示パネル２００の一方の側縁部に接合され、いわゆる２軸ヒンジ機構を用いたものであり、図２に示す第１の回動中心軸３１０を中心に液晶表示パネル２００をカメラ本体１００から接離する方向（図中矢線Ａ方向）に回動自在に支持している。
【００１４】
また、ヒンジブロック３００には、第１の回動中心軸３１０と直交する第２の回転軸３２０が設けられており、この第２の回転軸を中心に液晶表示パネル２００の表裏を反転する方向に回動できるようになっている。すなわち、反転機構を有する。
したがって、この第２の回転軸を用いて、液晶表示パネル２００をファインダとして用いる場合に、液晶表示パネル２００の角度を調整したり、また、液晶表示パネル２００を反転した状態で収容凹部１４０に収容し、カメラ本体１００の外側に液晶の表示面２２０Ａを向けて、表示画像を視るように使用することが可能である。
【００１５】
また、図４は、ロック部材４１０の構造を示す拡大断面図である。
このロック機構４００は、カメラ本体１００の側面壁に液晶表示パネル２００に接離する方向にスライド自在に設けられたロック部材４１０と、このロック部材４１０をスライド操作する操作片４２０と、ロック部材４１０を液晶表示パネル２００の方向に付勢する圧縮コイルバネ（バネ手段）４３０とを有する。
ロック部材４１０は、断面Ｌ字状に形成され、一方の直線部４１０Ａは操作片４２０に接合されている。また、他方の直線部４１０Ｂは、収容凹部１４０の内周壁に形成した貫通孔１４２Ｂより収容凹部１４０内に臨み、液晶表示パネル２００の他方の側縁部（ヒンジブロック３００と反対側の側縁部）に沿って配置され、先端にロック爪部４１２が設けられている。このロック爪部４１２は、液晶表示パネル２００の他方の側縁部に形成した係合溝部２３０に係合するものである。
【００１６】
このようなロック機構４００では、液晶表示パネル２００が通常収容状態で収容凹部１４０に収容される際に、ロック部材４１０の直線部４１０Ｂが液晶表示パネル２００の側縁部に押されて後退し、ロック爪部４１２と係合溝部２３０の位置が一致すると、圧縮コイルバネ４３０のバネ力で、ロック爪部４１２が係合溝部２３０に係合し、液晶表示パネル２００を通常収容状態にロックする。
また、圧縮コイルバネ４３０のバネ力に抗して、操作片４２０をスライド操作し、ロック部材４１０を後退させることで、ロック爪部４１２と係合溝部２３０との係合を外し、液晶表示パネル２００のロックを解除して、液晶表示パネル２００を収容凹部１４０より取り出すことができる。
【００１７】
また、図２（Ｂ）に示すように、液晶表示パネル２００を反転収容状態で収容凹部１４０に収容した場合には、ロック部材４１０のロック爪部４１２が液晶表示パネル２００の他方の側縁部には接触せず、ロック機構４００のロックは機能しない。
そして、液晶表示パネル２００を反転収容状態で収容凹部１４０に収容した場合には、第２の支持機構部５００である軸部材５１０と軸受け部材５２０によって液晶表示パネル２００がロックされる。
すなわち、軸部材５１０は、液晶表示パネル２００の他方の側縁部に固設されたものであり、上述した第２の回動中心軸３２０と同軸位置に配置され、上述したロック機構４００側に突出している。
【００１８】
また、軸受け部材５２０は、上述したロック部材４１０を兼用したものであり、ロック部材４１０の一部に軸部材５１０が嵌入する係合孔５２２を形成したものである。この軸受け部材５２０の係合孔５２２も、液晶表示パネル２００の反転収容状態で上述した第２の回動中心軸３２０と同軸位置に配置されている。
このような第２の支持機構部５００では、液晶表示パネル２００が反転収容状態で収容凹部１４０に収容される際に、ロック部材４１０（軸受け部材５２０）の直線部４１０Ｂが軸部材５１０の先端部に押されて後退し、軸部材５１０と係合孔５２２の位置が一致すると、圧縮コイルバネ４３０のバネ力で、軸部材５１０と係合孔５２２に係合し、液晶表示パネル２００を反転収容状態にロックするとともに、液晶表示パネル２００を第２の回動中心軸３２０を中心に回動可能に保持するものである。
【００１９】
つまり、液晶表示パネル２００の反転収容状態では、ロック機構４００によるロックは機能しないため、液晶表示パネル２００は両側縁部を第１、第２の支持機構によって回動自在に保持される。これにより、液晶表示パネル２００を容易に角度調整することができ、表示画面を見やすい方向に調整できる。
また、液晶表示パネル２００の通常（非反転）収容状態では、図２（Ａ）に示すように、ロック爪部４１２と係合溝部２３０、および、軸部材５１０と係合孔５２２の２点で液晶表示パネル２００が強固にロックされ、ガタ付きのない状態で保持される。
【００２０】
次に、図５は、本発明の他の例による液晶表示パネルの収容時の状態を示す水平断面図であり、図５（Ａ）は、液晶表示パネルを通常収容状態で収容した場合を示し、図５（Ｂ）は、液晶表示パネルを反転収容状態で収容した場合を示している。
上述した図２に示す例では、ロック機構４００とは別に第２の支持機構部５００を設けたが、図５に示す例では、ロック機構４００と第２の支持機構部５００とを兼用したものである。
【００２１】
すなわち、本例では、ロック機構４００におけるロック爪部４１２Ａの位置と係合溝部２３０Ａの位置とを、第２の回動中心軸３２０と同軸位置に配置したものである。
したがって、本例では、図５に示すように、液晶表示パネル２００を通常（非反転）収容状態で収容した場合と反転収容状態で収容した場合の両方の状態で、ロック爪部４１２Ａと係合溝部２３０Ａとが係合し、液晶表示パネル２００をロックできる。
【００２２】
そして、ロック爪部４１２Ａと係合溝部２３０Ａの係合位置が、第２の回動中心軸３２０と同軸位置にあることから、反転収容状態では、液晶表示パネル２００の角度調整が可能となる。
また、通常収容状態では、図３（Ｃ）に示すように、液晶表示パネル２００の表示面２２０Ａと収容凹部１４０の内壁板１４２とが密着して配置されることから、これが液晶表示パネル２００の傾斜止めとして機能し、ガタ付きのない収容状態を得ることができる。
以上のようにロック機構と第２の支持機構部とを兼用でき、部品点数の削減と、構成の簡素化を図ることができる。
【００２３】
なお、本発明は、上述のような液晶表示パネルを用いた構成に限らず、他の方式による小型表示パネルを用いたものであっても良い。
【００２４】
【発明の効果】
以上説明したように本発明のビデオカメラでは、カメラ本体の収容凹部に表示パネルを反転収容状態で収容した際に、表示パネルは、第１の支持機構部による反転機構と第２の支持機構部の軸部材と軸受け部材により回動自在に支持され、かつロックされる。
したがって、反転収容状態で表示パネルの角度調整を自在に行うことができ、見やすい角度で用いることができる。
【図面の簡単な説明】
【図１】本発明によるビデオカメラの一例を示す外観斜視図であり、（Ａ）は、液晶表示パネルを通常（非反転）収容状態で収容した場合を示し、（Ｂ）は、液晶表示パネルを反転収容状態で収容した場合を示す。
【図２】図１に示すビデオカメラにおける液晶表示パネルの収容時の状態を示す水平断面図であり、（Ａ）は、液晶表示パネルを通常収容状態で収容した場合を示し、（Ｂ）は、液晶表示パネルを反転収容状態で収容した場合を示す。
【図３】図１に示すビデオカメラにおける液晶表示パネルの収容時の状態を示す垂直断面図であり、（Ａ）は、液晶表示パネルを反転収容状態で傾斜させた場合を示し、（Ｂ）は、液晶表示パネルを反転収容状態で直立させた場合を示し、（Ｃ）は、液晶表示パネルを通常収容状態で収容した場合を示す。
【図４】図１に示すビデオカメラにおけるロック部材を示す拡大断面図である。
【図５】本発明の他の例による液晶表示パネルの収容時の状態を示す水平断面図であり、（Ａ）は、液晶表示パネルを通常収容状態で収容した場合を示し、（Ｂ）は、液晶表示パネルを反転収容状態で収容した場合を示す。
【符号の説明】
１００……カメラ本体、１４０……収容凹部、２００……液晶表示パネル、２３０……係合溝部、３００……ヒンジブロック、３１０……第１の回動中心軸、３２０……第２の回動中心軸、４００……ロック機構、４１０……ロック部材、４１２、４１２Ａ……ロック爪部、４２０……操作片、４３０……圧縮コイルバネ、５００……第２の支持機構部、５１０……軸部材、５２０……軸受け部材、５２２……係合孔。
【図１】
0003918286.tif 000002
【図２】
0003918286.tif 000003
【図３】
0003918286.tif 000004
【図４】
0003918286.tif 000005
【図５】
0003918286.tif 000006